(57)【要約】【課題】空間的な無駄を発生させない冷却ファンを提供する。【解決手段】本発明の冷却ファン１は、ファン１１と、ファン１１が格納される筐体１２と、筐体１２に設けられており、増設用冷却ファン３の筐体３２に設けられた案内手段３３と共に、増設用冷却ファン３を案内する案内手段１３と、筐体１２に設けられており、増設用冷却ファン３の筐体３２に設けられた接合手段３４と共に、増設用冷却ファン３を固定する接合手段１４と、を備える。【選択図】図２
2011185108.tif 000002
【特許請求の範囲】
【請求項１】
ファンと、
前記ファンが格納される筐体と、
前記筐体に設けられており、増設用冷却ファンの筐体に設けられた案内手段と共に、前記増設用冷却ファンを案内する案内手段と、
前記筐体に設けられており、前記増設用冷却ファンの筐体に設けられた接合手段と共に、前記増設用冷却ファンを固定する接合手段と、
を備える冷却ファン。
【請求項２】
前記案内手段はガイドレールであって、
前記冷却ファンのガイドレールに前記増設用冷却ファンのガイドレールを接触させて、前記増設用冷却ファンを案内することを特徴とする請求項１に記載の冷却ファン。
【請求項３】
前記接合手段は、嵌合片又は前記嵌合片が嵌め込まれる穴部であって、
前記冷却ファンに前記嵌合片又は前記穴部の一方が設けられ、前記増設用冷却ファンに前記嵌合片又は前記穴部の他方が設けられており、
前記冷却ファンは、前記嵌合片を前記穴部に嵌め込むことで、前記増設用冷却ファンを固定することを特徴とする請求項１又は２に記載の冷却ファン。
【請求項４】
前記嵌合片は弾性部材から成り、
前記穴部に対して嵌め込み、及び引き抜き可能であることを特徴とする請求項３に記載の冷却ファン。
【発明の詳細な説明】
【技術分野】
【０００１】
本発明は、冷却ファンに関し、特に電子機器を収容する筐体に設置される冷却ファンに関する。
【背景技術】
【０００２】
電子機器を収容する筐体に設置される冷却ファンは、風量の増加や冗長化の目的で増設される場合がある。このとき、増設数を想定した最大数量分の差込口を有するファンケージを、当該電子機器を収容する筐体に設置し、当該ファンケージに冷却ファンを必要数だけ差し込み固定していた（以下、関連技術１という）。例えば、図５に示すように、２台分の冷却ファンａ、ｂを搭載するためのファンケージｃを、当該電子機器を収容する筐体に設置し、当該ファンケージｃに冷却ファンａ、ｂを差し込み固定する。
【０００３】
ところで、特許文献１には、複数の冷却ファンを搭載したファンユニット本体を、ファンユニット搭載枠に対して規定する方向に案内するべく、当該ファンユニットにガイドレールを設ける技術が開示されている。また、特許文献２には、ファンを支持するサポートをベースに対してつめ構造を用いて接合する技術が開示されている。特許文献３には、冷却ファンをビスで相互に接合する技術が開示されている。
【先行技術文献】
【特許文献】
【０００４】
【特許文献１】特開２０００−４０８９０号公報
【特許文献２】特開２００２−３４９４７６号公報
【特許文献３】特開２００９−１４４５６９号公報
【発明の概要】
【発明が解決しようとする課題】
【０００５】
関連技術１は、冷却ファンの増設数を想定した最大数量分の差込口を有するファンケージを用いるので、冷却ファンを増設しない場合であっても、増設を想定した冷却ファン分の空間を、当該電子機器を収容する筐体内で占有し、空間的に無駄を発生させていた。
特許文献１乃至３の技術は、冷却ファンを増設する技術ではない。
【０００６】
本発明の目的は、上述した課題を解決する冷却ファンを提供することにある。
【課題を解決するための手段】
【０００７】
本発明の冷却ファンは、ファンと、前記ファンが格納される筐体と、前記筐体に設けられており、増設用冷却ファンの筐体に設けられた案内手段と共に、前記増設用冷却ファンを案内する案内手段と、前記筐体に設けられており、前記増設用冷却ファンの筐体に設けられた接合手段と共に、前記増設用冷却ファンを固定する接合手段と、を備える。
【発明の効果】
【０００８】
本発明によれば、ファンケージを省略することができ、増設を想定した冷却ファン分の空間を、当該電子機器を収容する筐体内に確保する必要がなくなり、空間的な無駄がなくなる。
【図面の簡単な説明】
【０００９】
【図１】本発明の実施の形態の冷却ファンを設置した筐体内部を概略的に示す図である。
【図２】本発明の実施の形態の冷却ファンを概略的に示す斜視図である。
【図３】増設用冷却ファンの構成を概略的に示す斜視図である。
【図４】冷却ファンに増設用冷却ファンを増設する様子を示す図である。
【図５】関連する冷却ファンの増設方法を示す図である。
【発明を実施するための形態】
【００１０】
本発明の実施の形態に係る冷却ファンについて説明する。但し、本発明が以下の実施の形態に限定される訳ではない。また、説明を明確にするため、以下の記載及び図面は、適宜、簡略化されている。
【００１１】
本実施の形態の冷却ファン１は、図１に示すように、電子機器が収容される筐体２に設置される。この冷却ファン１は、増設用冷却ファン３を良好に接合できる構成とされている。すなわち、冷却ファン１は、図２に示すように、ファン１１、筐体１２、案内手段１３、接合手段１４を備える。ファン１１は、筐体１２内に格納されている。ファン１１は、同じく筐体１２内に格納された駆動モータ（図示は省略）の回転駆動力が伝達される構成とされている。筐体１２は、ファン１１や駆動モータなどを格納するのに十分な内部空間を有し、側面視が略矩形状に形成されている。筐体１２は、両側面に貫通する通風路１２１を有し、当該通風路１２１内にファン１１や駆動モータなどが配置されている。つまり、通風路１２１はファン１１の回転軸と平行に配置されている。通風路１２１の開口部は、周辺に配置された配線などの侵入を防ぐ網目状の侵入防止手段１２２で覆われている。
【００１２】
案内手段１３は、増設用冷却ファン３の案内手段３３と対応するように筐体１２に設けられている。すなわち、案内手段１３はガイドレール（以下、案内手段１３と同一の符号を付する）である。ガイドレール１３は、筐体１２の少なくとも一方の側面の上下辺に沿って平行に形成されている。一方、増設用冷却ファン３は、図３に示すように、冷却ファン１と略同様の構成とされており、筐体３２における増設する際に対向させる側の側面の上下辺に沿って平行に、案内手段３３としてガイドレール（以下、案内手段３３と同一の符号を付する）が形成されている。ここで、本実施の形態では、図４に示すように、ガイドレール１３の外側面にガイドレール３３の内側面が接触するように、ガイドレール１３が配置されている。これにより、冷却ファン１のガイドレール１３に増設用冷却ファン３のガイドレール３３を接触させて、冷却ファン１の通風路１２１と増設用冷却ファン３の通風路３２１とが連続するように、増設用冷却ファン３を案内することができる構成となる。このとき、増設用冷却ファン３を案内方向と直交する方向（上下方向）に拘束した状態で、当該増設用冷却ファン３を案内することができる。
【００１３】
接合手段１４は、増設用冷却ファン３の接合手段３４と対応するように筐体１２に設けられている。すなわち、筐体１２のガイドレール１３が設けられた側面には、当該増設用冷却ファン３の案内方向の奥側の辺にリブ１２３が形成されている。リブ１２３には、接合手段１４として穴部（以下、接合手段１４と同一の符号を付する）が形成されている。一方、増設用冷却ファン３の筐体３２におけるガイドレール３３が設けられた側面には、当該増設用冷却ファン３の案内方向の奥側の辺に、接合手段３４として当該穴部１４に嵌合される嵌合片（以下、接合手段３４と同一の符号を付する）が設けられている。嵌合片３４は、当該増設用冷却ファン３の案内方向と平行に配置されており、例えば先端部に向かって傾斜する係止部が形成されている。これにより、冷却ファン１は、ガイドレール１３で増設用冷却ファン３を案内しつつ、当該増設用冷却ファン３の嵌合片３４を穴部１４に嵌め込むだけで、簡単に増設用冷却ファン３を増設することができる。そのため、ファンケージを省略することができ、増設を想定した冷却ファン分の空間を、当該電子機器を収容する筐体２内に確保する必要がなくなり、空間的な無駄がなくなる。しかも、ファンケージを省略することができるので、電子機器を構成する部品点数を削減することができる。また、冷却ファン１と増設用冷却ファン３との嵌合構造を解除すると簡単に、当該増設用冷却ファン３を取り外すことができるので、空間に余裕が生まれ、視認性が向上するので、配線等の組立作業や保守作業が容易となる。このとき、増設用冷却ファン３の嵌合片３４は弾性部材から成ることが好ましい。これにより、簡単に嵌合片３４を穴部１４から引き抜くことが可能となる。
【００１４】
さらに増設用冷却ファン３の他側面を、冷却ファン１と同様な構成とすることで、増設用冷却ファン３を複数、増設することができる。そのため、設計変更などで冷却ファンの増設数に変化が生じても、柔軟に対応することができる。
【００１５】
本発明は上記実施の形態に限られたものではなく、趣旨を逸脱しない範囲で適宜変更することが可能である。例えば、本実施の形態では、冷却ファン１のガイドレール１３の外側面に増設用冷却ファン３のガイドレール３３の内側面を接触させているが、冷却ファン１のガイドレール１３の内側面に増設用冷却ファン３のガイドレール３３の外側面を接触させても良い。
【００１６】
また、本実施の形態では、冷却ファン１に穴部１４が形成され、増設用冷却ファン３に嵌合片３４が形成されているが、冷却ファン１に嵌合片が形成され、増設用冷却ファン３に穴部が形成されても良い。
【符号の説明】
【００１７】
１  冷却ファン、１１  ファン、１２  筐体、１２１  通風路、１２２  侵入防止手段、１２３  リブ、１３  案内手段（ガイドレール）、１４  接合手段（穴部）
２  電子機器の筐体
３  増設用冷却ファン、３２  筐体、３３  案内手段（ガイドレール）、３４  接合手段（嵌合片）
【図１】
2011185108.tif 000003
【図２】
2011185108.tif 000004
【図３】
2011185108.tif 000005
【図４】
2011185108.tif 000006
【図５】
2011185108.tif 000007